(57)【要約】【課題】運転騒音が低く、送風性能に優れた送風機を提供する。【解決手段】複数の翼２を有する斜流羽根車１２ａと、前記斜流羽根車１２ａを回転駆動するモータ３と、吸い込み口４１を有すると共に前記斜流羽根車１２ａの周囲に設けられたエアガイダー１３とを備え、前記エアガイダー１３は、前記吸い込み口４１の吸い込み側に位置する吸い込み側壁部４２と、前記吸い込み口４１の吹き出し側に位置する吹き出し側壁部４３と、前記吹き出し側壁部４３の端部より、前記吸い込み口４１の軸方向と直交する方向へ延設された仕切り壁部４４とからなり、前記吸い込み側壁部４２の断面を、前記吸い込み口４１の内周面から径方向外方に向かって略半円状に湾曲する形状としたもので、吸い込み側壁部４２での空気の衝突を緩和し、また空気の剥離も抑制し、運転騒音が低くかつ高い送風性能を有する送風機を提供できる。【選択図】図１
2005299432.tif 000002
【特許請求の範囲】
【請求項１】
複数の翼を有する斜流羽根車と、前記斜流羽根車を回転駆動するモータと、吸い込み口を有すると共に前記斜流羽根車の周囲に設けられたエアガイダーとを備え、前記エアガイダーは、前記吸い込み口の吸い込み側に位置する吸い込み側壁部と、前記吸い込み口の吹き出し側に位置する吹き出し側壁部と、前記吹き出し側壁部の端部より、前記吸い込み口の軸方向と直交する方向へ延設された仕切り壁部とからなり、前記吸い込み側壁部の断面を、前記吸い込み口の内周面から径方向外方に向かって略半円状に湾曲する形状としたことを特徴とする送風機。
【請求項２】
吹き出し側壁部の断面を曲面形状とした請求項１に記載の送風機。
【請求項３】
吹き出し側壁部の断面を斜流羽根車側へ膨らむような曲面形状とした請求項２に記載の送風機。
【請求項４】
エアガイダーと仕切り壁部とを一体に成型した請求項１〜３のいずれか１項に記載の送風機。
【請求項５】
箱体と、前記箱体内に設けた熱交換器と、請求項１〜４のいずれか１項に記載の送風機を備え、前記送風機を前記熱交換器の下流側に配したことを特徴とする空気調和機。
【発明の詳細な説明】
【技術分野】
【０００１】
本発明は、送風機並びにそれを用いた空気調和機に関するものである。
【背景技術】
【０００２】
従来のこの種の送風機について図３、図４を用いて説明する。
【０００３】
図３は、空気調和機等に一般的に使用される送風機の断面図である。
【０００４】
図において、送風機１０は、複数の翼２を備えたファン本体１と、ファン本体１を回転駆動すると共に支持フレーム５に支持されるモータ３を備えている。ファン本体１の外周側には前記各翼２の周囲を近接状態で囲むような吸い込み口４１を備えたベルマウス４が配置されている。
【０００５】
このベルマウス４の吸い込み口４１は、前記モータ３側に位置する吸い込み側壁部４２と前記吸い込み側壁部４２の空気下流側に連続して形成された吹き出し側壁部４３とで構成され、この吸い込み側壁部４２は空気上流側に指向しながらその径方向外方に向けて湾曲するような断面形状を有している。尚、この場合、吸い込み側壁部４２の湾曲角度範囲はほぼ９０°に設定されている（例えば、特許文献１参照）。
【特許文献１】実公昭５９−１６６９４号公報
【発明の開示】
【発明が解決しようとする課題】
【０００６】
しかしながら、前記従来の送風機においては、吸い込み側または吹き出し側における空気の流れの剥離によるファン運転騒音とファン性能が悪化するという課題を有していた。
【０００７】
すなわち、送風機１０を運転した時、図４に矢印流線で示すように、翼２の前方からの空気流入に加えて前記翼２の外周側からも多くの空気が吸入されるが、このとき吸い込み側壁部４２の外周部に吸い込み空気の一部が衝突してその内周面側に空気流れの剥離が生じ、これによって比較的大きなファン運転騒音が生じるものである。
【０００８】
一方、吹き出し側においても、図４の吹き出し側壁部４３のように断面形状が直線的でかつ外側へ広がっているような形状では、プロペラファンのような吹き出し流れが比較的軸方向成分が主流であれば、吹き出し側壁面４３から流れが剥離し、死水域が生じ性能が低下しやすいことになる。
【０００９】
またこの種のベルマウスでは、大きく吹き出し側と吸い込み側の２つの部材で構成され、比較的コストも高かった。
【００１０】
本発明は、前記従来の課題を解決するもので、広い運転領域において、送風機運転騒音の低減と送風機性能の向上とを達成しうる送風機を提供することを目的とする。
【課題を解決するための手段】
【００１１】
前記従来の課題を解決するために、本発明の送風機は、複数の翼を有する斜流羽根車と、前記斜流羽根車を回転駆動するモータと、吸い込み口を有すると共に前記斜流羽根車の周囲に設けられたエアガイダーとを備え、前記エアガイダーは、前記吸い込み口の吸い込み側に位置する吸い込み側壁部と、前記吸い込み口の吹き出し側に位置する吹き出し側壁部と、前記吹き出し側壁部の端部より、前記吸い込み口の軸方向と直交する方向へ延設さ
れた仕切り壁部とからなり、前記吸い込み側壁部の断面を、前記吸い込み口の内周面から径方向外方に向かって略半円状に湾曲する形状としたもので、吸い込み側壁部での空気の衝突を緩和し、又空気の剥離を抑制し運転騒音が低くかつ高い送風性能を実現することができる。
【００１２】
本発明の空気調和機は、箱体と、前記箱体内に設けた熱交換器と、請求項１〜４のいずれか１項に記載の送風機を備え、前記送風機を前記熱交換器の下流側に配したもので、空気の衝突や剥離による運転騒音が低くかつ高い熱交換効率を有する空気調和機を提供することができる。
【発明の効果】
【００１３】
本発明にかかる送風機は、広い範囲の流量域において空気の剥離が抑制されることから斜流送風機運転騒音のより一層の低減が可能となり、斜流羽根車の性能が高くかつ静粛運転が可能となるものである。
【発明を実施するための最良の形態】
【００１４】
第１の発明は、複数の翼を有する斜流羽根車と、前記斜流羽根車を回転駆動するモータと、吸い込み口を有すると共に前記斜流羽根車の周囲に設けられたエアガイダーとを備え、前記エアガイダーは、前記吸い込み口の吸い込み側に位置する吸い込み側壁部と、前記吸い込み口の吹き出し側に位置する吹き出し側壁部と、前記吹き出し側壁部の端部より、前記吸い込み口の軸方向と直交する方向へ延設された仕切り壁部とからなり、前記吸い込み側壁部の断面を、前記吸い込み口の内周面から径方向外方に向かって略半円状に湾曲する形状としたもので、吸い込み側壁部での空気の衝突を緩和し、又空気の剥離を抑制し運転騒音が低くかつ高い送風性能を実現することができる。
【００１５】
第２の発明は、特に、第１の発明の吹き出し側壁部の断面を曲面形状としたもので、吹きだし側壁部での空気の乱れや剥離を抑制し運転騒音が低くかつ高い送風性能を実現することができる。
【００１６】
第３の発明は、特に、第２の発明の吹き出し側壁部の断面を斜流羽根車側へ膨らむような曲面形状としたもので、更に空気の吹きだし流れを壁部に沿って滑らかに流すことができ、高い送風性能を実現することもできる。
【００１７】
第４の発明は、特に、第１〜３のいずれか１つの発明のエアガイダーと仕切り壁部とを一体に成型したもので、組み立てが容易で、精度が良く、かつ安価な送風機を実現することができる。
【００１８】
第５の発明は、箱体と、前記箱体内に設けた熱交換器と、請求項１〜４のいずれか１項に記載の送風機を備え、前記送風機を前記熱交換器の下流側に配したもので、空気の衝突や剥離による運転騒音が低くかつ高い熱交換効率を有する空気調和機を提供することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における送風機を搭載した空気調和機の断面図である。
【００２１】
図において、空気調和機１１は、箱体７と、前記箱体７内に設けた熱交換器６と、前記
熱交換器６の下流側に配されかつ箱体７に固着された支持フレーム５で支持された斜流型の送風機１２で構成されている。送風機１２は、複数の翼２を備えかつモータ３によって回転駆動される斜流羽根車１２ａを備えている。
【００２２】
また前記斜流羽根車１２ａの各翼２、２・・・の外周側には、吸い込み口４１と、吸い込み口４１の吸い込み側に位置する吸い込み側壁部４２と、吸い込み口４１の吹き出し側に位置する吹き出し側壁部４３とで構成されるエアガイダー１３とともに前記吹き出し側壁部４３の端部には、これに連続して前記吸い込み口４１の軸方向にほぼ直交する方向へ延びる仕切り壁部４４が、箱体７の吹き出し側の前面板８を兼ねて設置されている。
【００２３】
そして、本実施の形態における送風機は、前記エアガイダー１３の吸い込み側壁部４２部分の形状に特徴を有しており、これによって従来に増して高い性能と低騒音運転とを実現している。すなわち、前記吸い込み側壁部４２を、吸い込み口４１の内周面に連続してこれから空気上流側を指向しながら径方向外方にほぼ半円状に湾曲する断面形状としている。
【００２４】
以上の構成により、まず第１に、翼２の前面側からの空気の他に前記翼２の外周側からも空気の吸い込みが行われる際、図２の矢印流線で示すように、翼２の外周側から吸い込まれる空気は、前記吸い込み側壁部４２が大きな曲率半径をもつ半円状に形成されていることから、従来のように前記吸い込み側壁部４２の外周部に衝突することなく前記吸い込み側壁部４２の表面に沿って流れて吸い込み口４１側に吸い込まれる。したがって、前記吸い込み口４１部分において空気流れに剥離が生じるということがほとんどなくなり、吸い込み流れがより改善されることから送風機運転騒音がより効果的に抑制され、送風機１２の低騒音運転が実現されるものである。
【００２５】
また、前記吹き出し側壁部４３を図２に示すように斜流羽根車１２ａ側へ膨らますような曲面形状にすることにより、斜流羽根車１２ａから周方向または径方向へ吹き出される空気は曲面形状の壁面に沿って流れ、剥離や損失の少ないスムースな流れを実現し、低騒音化を促進することが出来る。
【００２６】
さらに、前記エアガイダー１３と前記仕切り壁部４４と前記箱体の前面板８を一体的に成型するようにすれば、より安価な送風機を実現することが出来る。一体成型については例えば一体プレス加工などが考えられる。
【産業上の利用可能性】
【００２７】
以上のように、本発明にかかる送風機は、広い範囲の流量域において、空気の剥離による運転騒音が大幅に低減され、送風性能が高いもので、空気調和機に限らず、空気清浄機、換気装置など、送風機を用いる各種機器に広く適用できる。
【図面の簡単な説明】
【００２８】
【図１】本発明の実施の形態１における送風機の縦断面図
【図２】同送風機の流れ状態説明図
【図３】従来の送風機の縦断面図
【図４】同送風機の流れ状態説明図
【符号の説明】
【００２９】
２  翼
３  モータ
６  熱交換器
７  箱体
１１  空気調和機
１２  送風機
１２ａ  斜流羽根車
１３  エアガイダー
４１  吸い込み口
４２  吸い込み側壁部
４３  吹き出し側壁部
４４  仕切り壁部
【図１】
2005299432.tif 000003
【図２】
2005299432.tif 000004
【図３】
2005299432.tif 000005
【図４】
2005299432.tif 000006